【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて前記ＣＱＩの送信およびダウンリンク情報の処理を可能にするための起動時間をスケジュールすることと
を備え、
前記起動時間をスケジュールすることは、ＣＱＩ報告を生成するために必要とされるサブフレームの数、およびオン持続時間の第１のサブフレームと前記ＣＱＩが送信されるべきであると判断されるサブフレームとの間のオフセットにさらに基づき、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記第１のサブフレームより前にスケジュールされる、
方法。
【請求項２】
前記起動時間を前記スケジュールすることは、
前記ＣＱＩが周期的に報告されるべきでないと判断されたとき、前記オン持続時間の前記第１のサブフレームにおいて前記ダウンリンク情報の処理を可能にするために起動するようにスケジュールすることを備え、前記オン持続時間は、ダウンリンク制御チャネルが間欠受信（ＤＲＸ）サイクルごとに監視される持続時間である、請求項１に記載の方法。
【請求項３】
前記起動時間を前記スケジュールすることは、
前記ＣＱＩが周期的に報告されるべきであると判断されたとき、前記ＣＱＩが、前記オン持続時間の開始直後のｘサブフレームのうちのいずれか１つ中に送信されるべきかどうかを判断することを備え、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項１に記載の方法。
【請求項４】
前記起動時間を前記スケジュールすることは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールすることをさらに備え、
ｙは、前記オン持続時間の第１のサブフレームと、前記ＣＱＩが送信されるべきである前記ｘサブフレームのうちの１つとの間の前記オフセットであり、
ｙがｘよりも小さい、請求項３に記載の方法。
【請求項５】
前記起動時間を前記スケジュールすることは、
ｙがｘよりも大きいかまたはそれに等しいとき、前記オン持続時間の前記第１のサブフレームにおいてダウンリンク情報の処理を可能にするために起動するようにスケジュールすることをさらに備える、請求項４に記載の方法。
【請求項６】
前記起動時間を前記スケジュールすることは、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールすることをさらに備える、請求項３に記載の方法。
【請求項７】
ワイヤレス通信のための装置であって、
チャネル品質インジケータ（ＣＱＩ）を報告するためのＣＱＩ要件を受信するための手段と、
前記ＣＱＩ要件に基づいて、前記ＣＱＩが周期的に報告されるべきかどうかを判断するための手段と、
前記判断に基づいて前記ＣＱＩの送信およびダウンリンク情報の処理を可能にするための起動時間をスケジュールするための手段と
を備え、
スケジュールするための前記手段は、ＣＱＩ報告を生成するために必要とされるサブフレームの数、およびオン持続時間の第１のサブフレームと前記ＣＱＩが送信されるべきであると判断されるサブフレームとの間のオフセットに基づいて前記起動時間をスケジュールするように構成され、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記第１のサブフレームより前にスケジュールされる、
装置。
【請求項８】
前記起動時間をスケジュールするための前記手段は、
前記ＣＱＩが周期的に報告されるべきでないと判断されたとき、前記オン持続時間の前記第１のサブフレームにおいて前記ダウンリンク情報の処理を可能にするために起動するようにスケジュールするように構成され、前記オン持続時間は、ダウンリンク制御チャネルが間欠受信（ＤＲＸ）サイクルごとに監視される持続時間である、請求項７に記載の装置。
【請求項９】
前記起動時間をスケジュールするための前記手段は、
前記ＣＱＩが周期的に報告されるべきであると判断されたとき、前記ＣＱＩが、前記オン持続時間の開始直後のｘサブフレームのうちのいずれか１つ中に送信されるべきかどうかを判断するように構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項７に記載の装置。
【請求項１０】
前記起動時間をスケジュールするための前記手段は、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間の前記オフセットであり、
ｙがｘよりも小さい、請求項９に記載の装置。
【請求項１１】
前記起動時間をスケジュールするための前記手段は、
ｙがｘよりも大きいかまたはそれに等しいとき、前記オン持続時間の第１のサブフレームにおいてダウンリンク情報の処理を可能にするために起動するようにスケジュールするようにさらに構成される、請求項１０に記載の装置。
【請求項１２】
前記起動時間をスケジュールするための前記手段は、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールするようにさらに構成された、請求項９に記載の装置。
【請求項１３】
ワイヤレス通信のための装置であって、
メモリと、
前記メモリに結合された少なくとも１つのプロセッサと、
を備え、前記少なくとも１つのプロセッサは、
チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて前記ＣＱＩの送信およびダウンリンク情報の処理を可能にするための起動時間をスケジュールすることと
を行うように構成され、
前記少なくとも１つのプロセッサは、ＣＱＩ報告を生成するために必要とされるサブフレームの数、およびオン持続時間の第１のサブフレームと前記ＣＱＩが送信されるべきであると判断されるサブフレームとの間のオフセットにさらに基づいて前記起動時間をスケジュールするように構成され、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記第１のサブフレームより前にスケジュールされる、
装置。
【請求項１４】
前記メモリに結合された前記少なくとも１つのプロセッサは、
前記ＣＱＩが周期的に報告されるべきでないと判断されたとき、前記オン持続時間の前記第１のサブフレームにおいて前記ダウンリンク情報の処理を可能にするために起動するようにスケジュールするようにさらに構成され、前記オン持続時間は、ダウンリンク制御チャネルが間欠受信（ＤＲＸ）サイクルごとに監視される持続時間である、請求項１３に記載の装置。
【請求項１５】
前記メモリに結合された前記少なくとも１つのプロセッサは、
前記ＣＱＩが周期的に報告されるべきであると判断されたとき、前記ＣＱＩが、前記オン持続時間の開始直後のｘサブフレームのうちのいずれか１つ中に送信されるべきかどうかを判断することようにさらに構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項１３に記載の装置。
【請求項１６】
前記メモリに結合された前記少なくとも１つのプロセッサは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間の前記オフセットであり、
ｙがｘよりも小さい、請求項１５に記載の装置。
【請求項１７】
前記メモリに結合された前記少なくとも１つのプロセッサは、
ｙがｘよりも大きいかまたはそれに等しいとき、前記オン持続時間の前記第１のサブフレームにおいてダウンリンク情報の処理を可能にするために起動するようにスケジュールするようにさらに構成される、請求項１６に記載の装置。
【請求項１８】
前記メモリに結合された前記少なくとも１つのプロセッサは、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールするようにさらに構成される、請求項１５に記載の装置。
【請求項１９】
コードを記憶した非一時的なコンピュータ可読媒体であって、
前記コードは、少なくとも１つのプロセッサによって実行されるときに前記プロセッサに、
チャネル品質インジケータ（ＣＱＩ）を報告するためのＣＱＩ要件を受信することと、
前記ＣＱＩ要件に基づいて、前記ＣＱＩが周期的に報告されるべきかどうかを判断することと、
前記判断に基づいて前記ＣＱＩの送信およびダウンリンク情報の処理を可能にするための起動時間をスケジュールすることと
を行わせ、
前記起動時間をスケジュールするためのコードは、ＣＱＩ報告を生成するために必要とされるサブフレームの数、およびオン持続時間の第１のサブフレームと前記ＣＱＩが送信されるべきであると判断されるサブフレームとの間のオフセットにさらに基づいて前記起動時間をスケジュールするように構成され、
前記起動時間は、前記ＣＱＩ報告を生成するために必要とされる前記サブフレームの数が前記オン持続時間の前記第１のサブフレームと前記ＣＱＩが送信されるべきであると判断される前記サブフレームとの間の前記オフセットよりも大きいとき、前記オン持続時間の前記サブフレームより前にスケジュールされる、
非一時的なコンピュータ可読媒体。
【請求項２０】
前記起動時間をスケジュールするための前記コードは、
前記ＣＱＩが周期的に報告されるべきでないと判断されたとき、前記オン持続時間の前記第１のサブフレームにおいて前記ダウンリンク情報の処理を可能にするために起動するようにスケジュールするように構成され、前記オン持続時間は、ダウンリンク制御チャネルが間欠受信（ＤＲＸ）サイクルごとに監視される持続時間である、請求項１９に記載の非一時的なコンピュータ可読媒体。
【請求項２１】
前記起動時間をスケジュールするための前記コードは、
前記ＣＱＩが周期的に報告されるべきであると判断されたとき、前記ＣＱＩが、前記オン持続時間の開始直後のｘサブフレームのうちのいずれか１つ中に送信されるべきかどうかを判断することように構成され、
前記オン持続時間は、ダウンリンク制御チャネルが間欠受信（ＤＲＸ）サイクルごとに監視される持続時間であり、
ｘが、ＣＱＩ報告を生成するために必要とされるサブフレームの数である、請求項１９に記載の非一時的なコンピュータ可読媒体。
【請求項２２】
前記起動時間をスケジュールするための前記コードは、
前記ＣＱＩが、前記オン持続時間の前記開始直後の前記ｘサブフレームのうちのいずれか１つ中に送信されるべきであると判断されたとき、前記オン持続時間の前記開始のｘ−ｙサブフレーム直前であるサブフレームにおいてダウンリンク情報の処理を可能にするために起動するようにスケジュールするようにさらに構成され、
ｙは、前記オン持続時間の第１のサブフレームと、前記ＣＱＩが送信されるべきである前記ｘサブフレームのうちの１つとの間の前記オフセットであり、
ｙがｘよりも小さい、請求項２１に記載の非一時的なコンピュータ可読媒体。
【請求項２３】
前記起動時間をスケジュールするための前記コードは、
ｙがｘよりも大きいかまたはそれに等しいとき、前記オン持続時間の前記第１のサブフレームにおいてダウンリンク情報の処理を可能にするために起動するようにスケジュールするようにさらに構成される、請求項２２に記載の非一時的なコンピュータ可読媒体。
【請求項２４】
前記起動時間をスケジュールするための前記コードは、
前記ＣＱＩが、前記オン持続時間の前記開始直後の前記ｘサブフレームのうちのいずれか１つ中に送信されるべきでないと判断されたとき、前記オン持続時間の前記第１のサブフレームにおいてダウンリンク情報の処理を可能にするために起動するようにスケジュールするようにさらに構成される、請求項２１に記載の非一時的なコンピュータ可読媒体。